(57)【要約】      （修正有）【課題】地震、火災、水害、台風等、多様な災害に対応することができ、また防災服と防災リュックを一体化することにより迅速な災害対応を可能とする緊急避難コートを提供する。【解決手段】全体が耐熱性及び防水性を有する素材からなる緊急避難コート１０であり、耐熱性及び防水性を有する素材からなる緊急避難リュック２０に折り畳んで出し入れ自在に収納することができ、緊急避難コート１０の背面とリュック２０がファスナー１１を介して着脱自在に取り付けることができ、緊急避難用コート１０は衝撃吸収材が入った頭巾１２及び防煙用のマスクフード１３を備えている。【選択図】図２
0003207785.tif 000002
【実用新案登録請求の範囲】
【請求項１】
全体が耐熱性及び防水性を有する素材からなる緊急避難コートであり、前記緊急避難コートは耐熱性及び防水性を有する素材からなる緊急避難リュックに折り畳んで出し入れ自在に収納することができ、前記緊急避難コートの背面と前記緊急避難リュックがファスナーを介して着脱自在に取り付けることができ、前記緊急避難コートの上部に衝撃吸収材が入った頭巾を備えることを特徴とする緊急避難コート。
【請求項２】
前記頭巾の前面開口部に人の口及び鼻の部分を覆うマスクフードを備えることを特徴とする請求項１に記載の緊急避難コート。
【考案の詳細な説明】
【技術分野】
【０００１】
本考案は、大地震や水害等の災害時の緊急避難に用いるコート及びリュックに関するものである。
【背景技術】
【０００２】
大地震等の災害に対応した防災用品としては、防災備品入れのリュックや、防災頭巾、防災服などが知られており、また特許文献１のようなリュックと防災頭巾等を一体化したような防災用品も有る。
【先行技術文献】
【特許文献】
【０００３】
【特許文献１】特開２００３−３２５２２８号公報
【考案の概要】
【考案が解決しようとする課題】
【０００４】
従来の防災用品は、個別の単品として販売されているか、また複数の製品を一体化した製品に関しても、一部の災害を想定したものに限られている。
上記の特許文献１の防災リュックサックも火災等を想定した構造となっているが、洪水やゲリラ豪雨などの水害に対応した製品とはなっていない。本考案は上記の課題を解決するために案出されたものであり、地震、火災、水害、台風等、多様な災害に対応することができ、また防災服と防災リュックを一体化することにより迅速な災害対応を可能とすることを目的としている。
【課題を解決するための手段】
【０００５】
本考案は上記課題を解決するため、全体が耐熱性及び防水性を有する素材からなる緊急避難コートであり、耐熱性及び防水性を有する素材からなる緊急避難リュックに折り畳んで出し入れ自在に収納することができ、前記緊急避難コートの背面と前記リュックがファスナーを介して着脱自在に取り付けることができ、前記緊急避難コートは衝撃吸収材が入った頭巾及び防煙用のマスクフードを備えている。
【考案の効果】
【０００６】
本考案の緊急避難コートは、耐熱性及び防水性を有する素材からなっているため、地震、火災や水害等の多様な災害時の避難に対応することが可能である。
【０００７】
また、緊急避難コートは、通常時は緊急避難備品を収納したリュックサックのコート収納部に折り畳んで収納されるため、緊急避難備品と共にコンパクトに保管することが可能であり、災害時には緊急避難リュックから取り出して容易に着用することができる。
【０００８】
また、緊急避難コートと緊急避難リュックはファスナーを介して着脱可能となっているので、緊急避難コートと緊急避難リュックを接続した場合は強風等によってもリュックが飛ばされることが無く、緊急避難リュックを取り外した場合は身軽な状態で活動することも可能である。
【０００９】
さらに、緊急避難コートは衝撃吸収材入りの頭巾により落下物等から頭部を守ることができ、また防煙用のマスクフードにより、火災時の煙にも安全に対処することができる。
【図面の簡単な説明】
【００１０】
【図１】本考案の緊急避難コートを緊急避難リュックに収納した状態の概略図
【図２】本考案の緊急避難コートから緊急避難リュックを取り出して展開した状態の概略図
【図３】本考案の緊急避難コートから緊急避難リュックを切り離す途中の状態を示す概略図
【図４】本考案の緊急避難コートの頭巾及びマスクフード部分の概略図
【考案を実施するための形態】
【００１１】
以下、添付図面を参照して本考案の緊急避難コートの実施の形態について説明する。
【００１２】
図１は、本考案の緊急避難コートを緊急避難リュックに収納した状態の概略図である。
緊急避難リュック２０は、背面に蓋板２２がついたコート収容部２１が、またその前部に備品を収容する備品収容部２３が、また左右側面には手軽に取り出して使用する備品を収容するサイドポケット２４が設けられている。緊急避難コートの素材としては、耐熱、耐寒及び防水性を有する素材を想定している。
緊急避難コート１０は、折り畳まれた状態で耐熱性及び防水性を有する緊急避難リュック２０のコート収容部２１に収容されている。
【００１３】
また、緊急避難リュック２０には、左右のショルダーベルト２５及び左右のウエストベルト２６が取り付けられている。
【００１４】
図２は、本考案の緊急避難コート１０を緊急避難リュック２０から取り出して展開した状態を示す概略図である。
緊急避用コート１０は、その背部をファスナー１１で緊急避難リュック２０のコート収容部２１の内周部に着脱自在に取り付けられている。 
従って、災害時には緊急避難リュック２０から緊急避難コート１０を取り出してそのまま腕を袖に通すだけで容易に着用することができ、また着用すると同時に緊急避難リュック２０を背負うことになり、災害時に必要な装備と備品を身に付けて迅速かつ安全に避難することができる。
なお、緊急避難リュック２０は緊急避難コートにファスナー１１を介して強固に取り付けられているので、強風等で飛ばされる恐れは無いが、安定した体制で背負うためにショルダーベルト２５を肩に掛け、ウエストベルト２６を締めることが望ましい。
【００１５】
図３は、本考案の緊急避難コートから緊急避難リュックを切り離す途中の状態を示す概略図である。
緊急避難リュック２０はファスナー１１を外すことにより、緊急避難コート１０から簡単に切り離すことができる。
【００１６】
図４は、本考案の緊急避難コートの頭巾及びマスクフード部分の概略図である。
頭巾１２は緊急避難用コート１０と同様に耐熱、耐寒及び防水性を有する素材から成っており、緊急避難コートの襟部に一体又は着脱自在に取り付けられており、内部に衝撃吸収材が入っている。また、マスクフード１３はその内面に通気性袋状部を構成するためのネット片１４が取り付けられ、その内側に防煙のための防煙布を装填するように構成されている。このマスクフード１３は、頭巾１２に着脱自在に取り付けることができるようになっている。
【符号の説明】
【００１７】
１０ 緊急避難コート
１１ ファスナー
１２ 頭巾
１３ マスクフード
１４ ネット片
２０ 緊急避難リュック
２１ コート収容部
２２ 蓋板
２３ 備品収容部
２４ サイドポケット
２５ ショルダーベルト
２６ ウエストベルト 
【図１】
0003207785.tif 000003
【図２】
0003207785.tif 000004
【図３】
0003207785.tif 000005
【図４】
0003207785.tif 000006